(57)【要約】【課題】  簡単な構成で、ファンモータの振動を防止でき、ひいては振動に伴う不快な音の発生も防止できるようにする。【解決手段】  マグネトロン１５及び高圧トランス１７を冷却するための冷却用ファン２１を回転駆動するファンモータ２２は、本体１の後板１２にねじ３２により取付固定している。後板１２にねじ３８により取付固定された風向板２３には、ファンモータ２２の２個の接続端子３３が貫通する貫通孔４０が形成され、各接続端子３３にはコネクタ４２が上方から接続されている。そして、風向板２３の水平部３５の上面には、ガラステープからなる振動吸収部材４５を、２個のコネクタ４２間に位置させてこれらに接触する状態で貼り付けている。【選択図】  図１
2006145136.tif 000002
【特許請求の範囲】
【請求項１】
本体の後板に取り付けられ、冷却用ファンを回転駆動するファンモータと、このファンモータの近傍に設けられ、前記ファンモータの接続端子またはこの接続端子に接続されるコネクタが貫通する貫通孔を有する風向板とを備え、前記風向板に、振動吸収部材を、前記接続端子またはコネクタに接触する状態で取り付けたことを特徴とする加熱調理器。
【請求項２】
前記接続端子は２個存していて、前記振動吸収部材は、前記２個の接続端子間またはこれらに接続された２個のコネクタ間を通るように配置されていることを特徴とする請求項１記載の加熱調理器。
【請求項３】
前記振動吸収部材は、前記風向板にあって前記ファンモータとは反対側の外面側に配置されていることを特徴とする請求項１または２記載の加熱調理器。
【請求項４】
前記振動吸収部材はガラステープであることを特徴とする請求項１ないし３のいずれかに記載の加熱調理器。
【発明の詳細な説明】
【技術分野】
【０００１】
本発明は、本体の後板にファンモータを取り付けた構成の加熱調理器に関する。
【背景技術】
【０００２】
加熱調理器、例えば電子レンジにおいては、次のような構成のものがある。本体の内部の加熱室の隣に機械室を形成し、この機械室内に、高周波を発生するマグネトロンや高圧トランスが設けられていると共に、これらマグネトロンや高圧トランスを冷却する冷却ファン及びこの冷却ファンを回転駆動するファンモータが設けられている。そして、前記ファンモータは、通常、本体の後板の内面側にねじ止めにより取り付けられている（例えば、特許文献１参照）。
【特許文献１】実公昭６３−２４６３６号公報
【発明の開示】
【発明が解決しようとする課題】
【０００３】
この種の電子レンジにおいては、製造の際の組立誤差や、輸送中の振動や衝撃などにより、ファンモータの回転軸が設計に対して傾くなどすることがあり、これが原因で、ファンモータの駆動時に振動が発生し、この振動が後板を介して本体に伝わり、不快な音が発生するなどの問題があった。
【０００４】
本発明は上記した事情に鑑みてなされたものであり、その目的は、簡単な構成で、ファンモータの振動を防止することができ、ひいては振動に伴う不快な音の発生を防止できる加熱調理器を提供するにある。
【課題を解決するための手段】
【０００５】
上記の目的を達成するために、本発明の加熱調理器は、本体の後板に取り付けられ、冷却用ファンを回転駆動するファンモータと、このファンモータの近傍に設けられ、前記ファンモータの接続端子またはこの接続端子に接続されるコネクタが貫通する貫通孔を有する風向板とを備え、前記風向板に、振動吸収部材を、前記接続端子またはコネクタに接触する状態で取り付けたことを特徴とする。
上記した手段によれば、後板へ取り付けられたファンモータとしては、上記振動吸収部材との接触箇所でも固定されるようになる。これにより、ファンモータの駆動時の振動が抑えられるようになる。
【発明の効果】
【０００６】
本発明によれば、風向板に、振動吸収部材を、ファンモータの接続端子またはコネクタに接触させて取り付けるという、簡単な構成で、ファンモータの振動を防止でき、ひいては振動に伴う不快な音の発生も防止できるようになる。
【発明を実施するための最良の形態】
【０００７】
（第１の実施例）
以下、本発明の第１の実施例について図１ないし図５を参照して説明する。まず、図５には、加熱調理器として電子レンジの外観斜視図が示されている。この図５において、電子レンジの本体１は、鋼板製の外箱２により覆われていて、底部に４個の脚部３を有している。外箱２の内部には、図１（ａ）及び（ｂ）に示すように内箱５が設けられていて、この内箱５の内部を加熱室６としている。本体１の前部には、加熱室６の前面開口部を開閉する扉７が設けられていると共に、この扉７の右側に位置させて操作パネル８が設けられている。操作パネル８には、表示部９や操作部１０が設けられている。
【０００８】
操作パネル８の後方部でかつ内箱５の右側は機械室１１とされていて、この機械室１１は、後部が本体１の後板１２により覆われ、底部が底板１３により覆われ、上部及び右側部が外箱２により覆われている。内箱５の右側面の上部には、機械室１１側に位置させて、マイクロ波を発振するマグネトロン１５が設けられていると共に、このマグネトロン１５の前部に位置させて送風ダクト１６が設けられている。また、機械室１１の底板１３上には、高圧トランス１７が設けられている。
そして、機械室１１内の後部には、上記マグネトロン１５及び高圧トランス１７を冷却するための送風装置２０が設けられている。この送風装置２０は、冷却用ファン２１と、この冷却用ファン２１を回転駆動するファンモータ２２と、風向板２３とから構成されている。
【０００９】
このうちファンモータ２２は、図３及び図４に示すように、固定子鉄心２５及びこれに装着されたボビン２６に巻回されたコイル２７を備えた固定子２８と、回転軸２９を有して固定子２８に対して回転自在に設けられた回転子３０とを備えている。このファンモータ２２は、固定子２８に設けられた取付部３１を介して上記後板１２の前面に２本のねじ３２により取付固定されている。ボビン２６の一方の鍔部２６ａには２本の接続端子３３が設けられていて、これら２本の接続端子３３が上方に向けて突出している。２本の接続端子３３は、前後に並んでいる。回転子３０の回転軸２９は前方に向けて突出していて、その先端部に上記冷却用ファン２１が取着されている（図２参照）。なお、後板１２には、図示はしないが、ファンモータ２２の後方に位置させて、多数の小孔からなる吸気口が形成されている。
【００１０】
上記風向板２３は、図２に示すように、前方へほぼ水平状態に突出する水平部３５と、この水平部３５の先端部から下方へ向けられた立下がり部３６とを有し、全体としてほぼＬ字状をなしていて、水平部３５の後端部に設けられたフランジ部３７が、後板１２の前面にねじ３８により取付固定されている。この風向板２３は、上記ファンモータ２２を上方から覆うように配置されていて、立下がり部３６に、冷却用ファン２１に対応する半円状の開口部３９が形成されている。
また、水平部３５には、上記２個の接続端子３３に対応する部位に矩形状の貫通孔４０が形成されていて、この貫通孔４０に、接続端子３３が下方から挿通されている。そして、これら接続端子３３には、図１に示すように、リード線４１を有するコネクタ４２が上方から着脱可能に接続されている。従って、貫通孔４０には、接続端子３３及びこれに接続されたコネクタ４２が上下方向に貫通している。
【００１１】
そして、風向板２３における水平部３５の上面には、図１に示すようにガラステープからなる振動吸収部材４５が、上記２個のコネクタ４２間に位置させてこれらに接触する状態で貼り付けられている。この場合、振動吸収部材４５は、２個のコネクタ４２（２個の接続端子３３）の並び方向である前後方向に対して直交する左右方向に延びるように配置されている。なお、振動吸収部材４５を構成するガラステープは、ガラス繊維が編みこまれた帯状のものに接着剤が塗布されたもので、非導電性を有している。
【００１２】
上記構成において、加熱手段であるマグネトロン１５の駆動時に、送風装置２０が駆動されて冷却用ファン２１が回転されると、その冷却用ファン２１の送風作用により、本体１の外部の空気が後板１２の吸気口から機械室１１内に吸入されると共に、その空気が前方に向けて吹き出され、その吹き出された空気により、マグネトロン１５が冷却されると共に、高圧トランス１７が冷却される（図１（ａ）の矢印Ａ１参照）。マグネトロン１５を冷却した空気の一部は、送風ダクト１６を通して加熱室６内に入り、加熱室６内を通った後、後部の後板１２に形成された図示しない排気口から本体１の外部へ排出される（図１（ａ）の矢印Ａ２参照）。
【００１３】
ここで、上記送風装置２０におけるファンモータ２２の駆動時において、当該ファンモータ２２に振動が発生することがある。この場合、ファンモータ２２は、後部が後板１２に２本のねじ３２により固定されていると共に、上部が風向板２３に貼り付けられた振動吸収部材４５に２個のコネクタ４２を介して固定されている。従って、ファンモータ２２としては、後部の２本のねじ３２と上部の振動吸収部材４５との、いわゆる３点支持により固定されている。このため、ファンモータ２２に振動が発生したとしても、その振動が抑えられ、他の部分へ伝わることを極力防止できる。これにより、振動に伴う不快な音の発生も防止できるようになる。
【００１４】
上記した実施例においては、風向板２３に、振動吸収部材４５を、ファンモータ２２の接続端子３３に接続されたコネクタ４２に接触させて取り付けるという、簡単な構成で、ファンモータ２２の振動を極力防止でき、ひいては振動に伴う不快な音の発生も防止できるようになる。
ちなみに、ファンモータ２２の振動が他へ伝わることを防止するために、ファンモータ２２を固定するねじの数量を多くしたり、ファンモータ２２を取り付ける後板１２の強度を大きくしたりすることも考えられるが、このようにするには金型費用や材料費がかなり高くなる。この点、本実施例によれば、振動吸収部材４５を貼り付けるということで対応できるため、きわめて安価に、しかも容易に対応できる。
【００１５】
また、上記した実施例においては、振動吸収部材４５を、２個のコネクタ４２間を通るように配置しているので、１箇所のみで２個のコネクタ４２に接触させた状態で取り付けることができ、効率が良い。
さらに、振動吸収部材４５は、風向板２３の水平部３５にあってファンモータ２２とは反対側の外面（上面）に配置しているので、その振動吸収部材４５が冷却用ファン２１による風の流れを邪魔することを防止できる。しかも、振動吸収部材４５はガラステープにより構成していて、非導電性を有しているから、短絡などが発生することも防止できる。
【００１６】
（第２の実施例）
図６は本発明の第２の実施例を示したものであり、この第２の実施例は上記した第１の実施例とは次の点が異なっている。
すなわち、風向板２３における水平部３５の上面において、前部側のコネクタ４２の前部側と、後部側のコネクタ４２の後部側に、それぞれガラステープからなる振動吸収部材４５が左右方向に延びるようにして貼り付けられている。各振動吸収部材４５は、対応するコネクタ４２に接触している。このような構成とした場合でも、第１の実施例と同様な作用効果を得ることができる。
【００１７】
（他の実施例）
本発明は上記した各実施例にのみ限定されるものではなく、次のように変形若しくは拡張することができる。
振動吸収部材４５は、コネクタ４２に接触させることに代えて、接続端子３３に接触させる状態で取り付けるようにしても良い。
【００１８】
振動吸収部材４５は、ガラステープ以外のテープでも良い。
【図面の簡単な説明】
【００１９】
【図１】本発明の第１の実施例を示すもので、（ａ）は外箱を外した状態で示す平面図、（ｂ）は同状態での右側面図
【図２】接続端子にコネクタを接続する前の状態の要部の斜視図
【図３】ファンモータの斜視図
【図４】ファンモータの右側面図
【図５】電子レンジの外観斜視図
【図６】本発明の第２の実施例を示す図１（ａ）相当図
【符号の説明】
【００２０】
図面中、１は本体、２は外箱、６は加熱室、１１は機械室、１２は後板、１５はマグネトロン、１７は高圧トランス、２０は送風装置、２１は冷却用ファン、２２はファンモータ、２３は風向板、３２はねじ、３３は接続端子、３５は水平部、３６は立下がり部、４０は貫通孔、４２はコネクタ、４５は振動吸収部材を示す。
【図１】
2006145136.tif 000003
【図２】
2006145136.tif 000004
【図３】
2006145136.tif 000005
【図４】
2006145136.tif 000006
【図５】
2006145136.tif 000007
【図６】
2006145136.tif 000008